(57)【要約】【課題】プラズマディスプレイ装置において回路構成を煩雑にすることなく、万一コネクタの抜けが発生した場合であっても安全に動作を停止させることを目的とする。【解決手段】プラズマディスプレイパネルと、プラズマディスプレイパネルを駆動するための駆動回路を搭載した複数の回路基板と、回路基板に搭載された駆動回路に電力を供給する駆動電源７７を有する駆動電源ブロック７３とを備えたプラズマディスプレイ装置であって、駆動電源ブロック７３は、オンオフ制御信号ＣＯＮＴによりオンオフを制御するように構成するとともに、複数の回路基板のうちの所定の回路基板３１０を経由してオンオフ制御信号ＣＯＮＴを供給するように構成した。【選択図】図６
2008096801.tif 000002
【特許請求の範囲】
【請求項１】
プラズマディスプレイパネルと、前記プラズマディスプレイパネルを駆動するための駆動回路を搭載した複数の回路基板と、前記回路基板に搭載された駆動回路に電力を供給する駆動電源を有する駆動電源ブロックとを備えたプラズマディスプレイ装置であって、
前記駆動電源ブロックは、オンオフ制御信号によりオンオフを制御するように構成するとともに、前記複数の回路基板のうちの所定の回路基板を経由して前記オンオフ制御信号を供給するように構成したことを特徴とするプラズマディスプレイ装置。
【請求項２】
前記オンオフ制御信号は、前記所定の回路基板に設けられた複数の端子を有するコネクタの両端の端子を用いて前記所定の回路基板を経由して供給するように構成したことを特徴とする請求項１に記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
プラズマディスプレイパネル（以下、「パネル」と略記する）は、走査電極、維持電極およびデータ電極を有する放電セルを多数配列し、それぞれの放電セルの発光・非発光を制御することにより画像を表示する表示デバイスである。
【０００３】
プラズマディスプレイ装置は、上述したパネルに加えて、画像信号処理を行う画像信号処理回路、走査電極、維持電極、データ電極のそれぞれを駆動する各電極駆動回路、各回路ブロックに電力を供給する電源回路、これらの回路ブロックを制御する表示制御回路等を備えている。これらの回路は一般に複数の回路基板上に分割して実装されているが、コネクタ等により互いの回路基板が電気的に接続されることによりパネルを駆動して画像表示動作を行うことができる。
【０００４】
しかしコネクタは着脱可能であり、例えば組み立て時の作業ミス、輸送中の振動等、何らかの理由によりコネクタの抜けが生じた場合、画像を正常に表示できなくなることは避けられないが、場合によっては回路の破壊等を発生させる恐れがあった。このようなコネクタの抜けを検出する方法として、例えば特許文献１には、回路基板の一方に、複数のコネクタピンのうち予め定められたコネクタピンを通してそれぞれコネクタ接続信号を供給する手段を設け、回路基板の他方にコネクタ接続信号を受け、少なくともコネクタ接続信号の１つが受信できないとき回路基板間の接続不良を指定する手段を備えたコネクタ抜け検出回路が開示されている。
【特許文献１】特開平２−１６５５８１号公報
【発明の開示】
【発明が解決しようとする課題】
【０００５】
しかしながら、上述したコネクタ抜け検出回路は、コネクタ接続信号を供給する手段、回路基板間の接続不良を指定する手段等の新たな回路を追加する必要があり、回路構成が煩雑になる。
【０００６】
一方、近年は表示画面の大型化が進み、それに伴いパネル駆動回路の回路規模も大きくなりつつある。しかし、回路を実装するための回路基板の大きさは限られているため、プラズマディスプレイ装置に搭載される回路基板の枚数は増加する傾向にあり、それらを電気的に接続するコネクタの数も増加しつつある。さらに１枚の回路基板に実装することが望ましい回路ブロックを複数の回路基板に分割して実装せざるを得ない場合も発生している。
【０００７】
プラズマディスプレイ装置の回路ブロックの中でも、特に走査電極駆動回路や維持電極駆動回路の扱う電力は大きく、万一誤動作すると場合によっては駆動回路が破壊される恐れがある。そのため、万一コネクタの抜けが発生した場合であっても、安全に動作を停止させる必要があった。
【０００８】
本発明はこれらの課題に鑑みなされたものであり、回路構成を煩雑にすることなく、万一コネクタの抜けが発生した場合であっても安全に動作を停止させることができるプラズマディスプレイ装置を提供することを目的とする。
【課題を解決するための手段】
【０００９】
本発明は、プラズマディスプレイパネルと、プラズマディスプレイパネルを駆動するための駆動回路を搭載した複数の回路基板と、回路基板に搭載された駆動回路に電力を供給する駆動電源を有する駆動電源ブロックとを備えたプラズマディスプレイ装置であって、駆動電源ブロックは、オンオフ制御信号によりオンオフを制御するように構成するとともに、複数の回路基板のうち所定の回路基板を経由してオンオフ制御信号を供給するように構成したことを特徴とする。この構成により、回路構成を煩雑にすることなく、万一コネクタの抜けが発生した場合であっても安全に動作を停止させることができるプラズマディスプレイ装置を提供することができる。
【００１０】
また本発明のオンオフ制御信号は、所定の回路基板に設けられた複数の端子を有するコネクタの両端の端子を用いて所定の回路基板を経由して供給するように構成してもよい。この構成により、コネクタの端子の一部が抜けた、いわゆる片抜けの状態であっても確実に動作を停止させることができる。
【発明の効果】
【００１１】
本発明によれば、回路構成を煩雑にすることなく、万一コネクタの抜けが発生した場合であっても安全に動作を停止させることができるプラズマディスプレイ装置を提供することが可能となる。
【発明を実施するための最良の形態】
【００１２】
以下、本発明の実施の形態におけるプラズマディスプレイ装置について、図面を用いて説明する。
【００１３】
（実施の形態）
図１は、本発明の実施の形態におけるパネル１０の構造を示す分解斜視図である。ガラス製の前面基板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１４】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１５】
なお、パネル１０の構造は上述したものに限られるわけではなく、例えばストライプ状の隔壁を備えたものであってもよい。
【００１６】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１７】
図３は、本発明の実施の形態におけるプラズマディスプレイ装置１００の回路ブロック図である。プラズマディスプレイ装置１００は、パネル１０、画像信号処理回路５１、データ電極駆動回路５２、走査電極駆動回路５３、維持電極駆動回路５４、タイミング発生回路５５、表示制御回路６０および各回路ブロックに必要な電源を供給する電源回路７０を備えている。
【００１８】
画像信号処理回路５１は、入力された画像信号をサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。タイミング発生回路５５は水平同期信号、垂直同期信号をもとにして各回路ブロックの動作を制御する各種のタイミング信号を発生し、それぞれの回路ブロックへ供給する。走査電極駆動回路５３はタイミング信号にもとづいて各走査電極ＳＣ１〜ＳＣｎをそれぞれ駆動する。維持電極駆動回路５４はタイミング信号にもとづいて維持電極ＳＵ１〜ＳＵｎを駆動する。
【００１９】
表示制御回路６０はプラズマディスプレイ装置１００の電源のオンオフ制御をはじめ、輝度、コントラスト、表示モードの設定等の画像表示に関する各種の制御、リモコン制御、異常検出時の制御等、プラズマディスプレイ装置１００の各種の制御を行う。特にプラズマディスプレイ装置１００の電源のオンオフ制御について説明すると、プラズマディスプレイ装置１００に設けられた電源スイッチ６１のオンオフの状態、あるいはリモコンから送信されたオンオフ制御信号を受光部６２で受光して電源回路７０の駆動電源ブロック７３のオンオフを行うためのオンオフ制御信号ＣＯＮＴを出力する。
【００２０】
電源回路７０は、表示制御回路６０に電力を供給するスタンバイ電源７２と、画像表示を行うためにパネル１０を駆動するための各駆動回路に電力を供給する駆動電源ブロック７３とを備えている。スタンバイ電源７２は、プラズマディスプレイ装置１００に商用電源が供給されている場合には常にオンしており表示制御回路６０に電力を供給している。一方、駆動電源ブロック７３は表示制御回路６０から出力されたオンオフ制御信号ＣＯＮＴにもとづきオンオフが制御されている。そして駆動電源ブロック７３がオンすると、画像を表示するために必要な各種の駆動電源をパネル１０を駆動する各駆動回路のそれぞれに供給する。とりわけ走査電極駆動回路５３には、複雑な駆動電圧波形を発生させるための各種駆動電源に加え、走査電極駆動回路５３を構成するスイッチング素子を制御するためのスイッチング素子制御回路に供給する各種電源を含む多くの種類の駆動電源を供給している。
【００２１】
図４は、本発明の実施の形態における走査電極駆動回路５３の詳細を示す回路図である。走査電極駆動回路５３は、維持パルスを発生するための維持パルス発生回路２１０、初期化期間において傾斜波形電圧を発生させるための初期化波形発生回路２３０、書込み期間において走査パルスを発生させる走査パルス発生回路２５０を備えている。維持パルス発生回路２１０は、電力回収用のコンデンサＣ２１１、スイッチング素子Ｑ２１１、Ｑ２１２、逆流防止用のダイオードＤ２１１、Ｄ２１２、共振用のインダクタＬ２１１、Ｌ２１２を有している。また走査電極を所定の電圧にクランプするためのスイッチング素子Ｑ２２１、Ｑ２２２、Ｑ２２３を有している。なお、電力回収用のコンデンサＣ２１１は電極間容量Ｃｐに比べて十分に大きい容量を持ち、後述する維持パルス電圧Ｖｓの半分の約Ｖｓ／２に充電されている。初期化波形発生回路２３０は、スイッチング素子Ｑ２３１とコンデンサＣ２３１と抵抗Ｒ２３１とを有するミラー積分回路、スイッチング素子Ｑ２３２とコンデンサＣ２３２と抵抗Ｒ２３２とを有するミラー積分回路、スイッチング素子Ｑ２３３を用いた分離回路を備える。走査パルス発生回路２５０は、走査電極ＳＣ１〜ＳＣｎのそれぞれに走査パルス電圧を出力するスイッチ部ＯＵＴ１〜ＯＵＴｎと、スイッチ部ＯＵＴ１〜ＯＵＴｎの低電圧側を電圧Ｖａにクランプするためのスイッチング素子Ｑ２５１と、スイッチ部ＯＵＴ１〜ＯＵＴｎの低電圧側に電圧Ｖｃを印加するためのスイッチング素子Ｑ２５２、Ｑ２５３とを備えている。そしてスイッチ部ＯＵＴ１〜ＯＵＴｎのそれぞれは、電圧Ｖｃを出力するためのスイッチング素子ＱＨ１〜ＱＨｎと電圧Ｖａを出力するためのスイッチング素子ＱＬ１〜ＱＬｎとを有している。
【００２２】
そして、スイッチング素子Ｑ２１１、Ｑ２１２、Ｑ２２１、Ｑ２２２、Ｑ２２３、Ｑ２３１、Ｑ２３２、Ｑ２３３、Ｑ２５１、Ｑ２５２、Ｑ２５３のゲート端子またはベース端子はそれぞれスイッチング素子制御回路２７０に接続されている。
【００２３】
なお、パネル駆動時には、スイッチング素子Ｑ２１１、Ｑ２１２、Ｑ２２１、Ｑ２２２、Ｑ２２３、Ｑ２３３、Ｑ２５１、Ｑ２５２、Ｑ２５３、ダイオードＤ２１１、Ｄ２１２には非常に大きなピーク電流が流れる。図４にはこれらの素子のそれぞれは１つの素子の記号を用いて示したが、通常はこれらのスイッチング素子、ダイオードは数個〜十数個の同一仕様の素子を並列に接続してインピーダンスを下げて使用している。
【００２４】
次に、パネル１０を駆動するための駆動方法について説明する。プラズマディスプレイ装置１００は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。初期化期間では初期化放電を発生し、続く書込み放電に必要な壁電荷を各電極上に形成する。書込み期間では、発光させるべき放電セルで選択的に書込み放電を発生し壁電荷を形成する。そして維持期間では、輝度重みに応じた数の維持パルスを表示電極対に交互に印加して、書込み放電を発生した放電セルで維持放電を発生させて発光させる。
【００２５】
図５は、本発明の実施の形態における各電極に印加する駆動電圧波形図であり、第１ＳＦ〜第２ＳＦの駆動電圧波形を示している。
【００２６】
初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧は、図４においてスイッチング素子Ｑ２３１とコンデンサＣ２３１と抵抗Ｒ２３１で構成されるミラー積分回路をオンすることで発生させる。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こりそれぞれの電極上に壁電圧が蓄積される。ここで、電極上部の壁電圧とは電極を覆う誘電体層上、保護層上、蛍光体層上等に蓄積された壁電荷により生じる電圧を表す。
【００２７】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この傾斜波形電圧は、図４においてスイッチング素子Ｑ２３２とコンデンサＣ２３２と抵抗Ｒ２３２で構成されるミラー積分回路をオンすることで発生させる。この間に再び微弱な初期化放電が起こり、各電極上の壁電圧は書込み動作に適した値に調整される。
【００２８】
なお、初期化期間において必ずしも前半部と後半部とを設ける必要はなく、例えば図５の第２ＳＦの初期化期間に示したように、各電極に初期化期間後半部のみの駆動電圧波形を印加してもよい。
【００２９】
書込み期間では、維持電極ＳＵ１〜ＳＵｎに電圧Ｖｅ２を印加する。そしてスイッチング素子Ｑ２５１をオンにするとともにスイッチング素子Ｑ２５２をオンにし、スイッチング素子ＱＨ１〜ＱＨｎをオンにすることにより、走査電極ＳＣ１〜ＳＣｎに電圧Ｖｃを印加する。次に、スイッチング素子ＱＨ１をオフにしスイッチング素子ＱＬ１をオンにすることにより、１行目の走査電極ＳＣ１に負の走査パルス電圧Ｖａを印加する。そして、データ電極Ｄ１〜Ｄｍのうち１行目に発光させるべき放電セルのデータ電極Ｄｋ（ｋ＝１〜ｍ）に正の書込みパルス電圧Ｖｄを印加する。すると１行目放電セルのうち書込みパルスを印加した放電セルでは書込み放電が起こり、各電極上に壁電圧を蓄積する書込み動作が行われる。一方、書込みパルス電圧Ｖｄを印加しなかった放電セルでは書込み放電は発生しない。以上の書込み動作をｎ行目の放電セルに至るまで行い、書込み期間が終了する。
【００３０】
続く維持期間では、維持電極ＳＵ１〜ＳＵｎに０（Ｖ）を印加し、走査電極ＳＣ１〜ＳＣｎに維持パルス電圧Ｖｓを印加する。走査電極ＳＣ１〜ＳＣｎに維持パルス電圧Ｖｓを印加するには、スイッチング素子Ｑ２１１、Ｑ２２２、Ｑ２３３をオンにする。すると、電力回収用のコンデンサＣ２１１からスイッチング素子Ｑ２１１、ダイオードＤ２１１、インダクタＬ２１１、スイッチング素子Ｑ２２２、Ｑ２３３およびスイッチング素子ＱＬ１〜ＱＬｎを介して電流が流れ始め、走査電極ＳＣ１〜ＳＣｎの電圧が上がり始める。インダクタＬ２１１と電極間容量Ｃｐとは共振回路を形成しているので、共振周期の１／２の時間経過後には走査電極ＳＣ１〜ＳＣｎの電圧はＶｓ付近まで上昇する。そしてスイッチング素子Ｑ２２１をオンにする。すると走査電極ＳＣ１〜ＳＣｎはスイッチング素子Ｑ２２１、Ｑ２２２、Ｑ２３３およびスイッチング素子ＱＬ１〜ＱＬｎを通して直接に電源へ接続されるため、走査電極ＳＣ１〜ＳＣｎの電圧は強制的に電圧Ｖｓまで上昇する。すると、書込み放電を起こした放電セルでは維持放電が発生する。
【００３１】
続いて走査電極ＳＣ１〜ＳＣｎに０（Ｖ）を印加し、維持電極ＳＵ１〜ＳＵｎに維持パルス電圧Ｖｓを印加する。走査電極ＳＣ１〜ＳＣｎに０（Ｖ）を印加するには、スイッチング素子Ｑ２１２、Ｑ２２２、Ｑ２３３をオンにする。すると、走査電極ＳＣ１〜ＳＣｎからスイッチング素子ＱＬ１〜ＱＬｎ、スイッチング素子Ｑ２３３、インダクタＬ２１２、ダイオードＤ２１２、スイッチング素子Ｑ２１２を介して電力回収用のコンデンサＣ２１１に電流が流れ始め、走査電極ＳＣ１〜ＳＣｎの電圧が下がり始める。インダクタＬ２１２と電極間容量Ｃｐとも共振回路を形成しているので、共振周期の１／２の時間経過後には走査電極ＳＣ１〜ＳＣｎの電圧は０（Ｖ）付近まで下降する。そしてスイッチング素子Ｑ２２３をオンにする。すると走査電極ＳＣ１〜ＳＣｎはスイッチング素子Ｑ２２３、Ｑ２３３およびスイッチング素子ＱＬ１〜ＱＬｎを通して接地電位へ接続されるため、走査電極ＳＣ１〜ＳＣｎの電圧は強制的に０（Ｖ）まで下降する。そして、維持電極ＳＵ１〜ＳＵｎに維持パルス電圧Ｖｓを印加する。すると、維持放電を起こした放電セルでは再び維持放電が発生する。
【００３２】
以下同様に、走査電極ＳＣ１〜ＳＣｎと維持電極ＳＵ１〜ＳＵｎとに交互に輝度重みに応じた数の維持パルスを印加し、表示電極対の電極間に電位差を与えることにより、書込み期間において書込み放電を起こした放電セルで維持放電が継続して行われる。続く第２ＳＦ以降についても同様の動作を行う。
【００３３】
なお、本実施の形態において各電極に印加する電圧値は、例えば、電圧Ｖｉ１＝電圧Ｖｉ３＝電圧Ｖｓ＝１８０（Ｖ）、電圧Ｖｉ２＝４２０（Ｖ）、電圧Ｖｉ４＝−８５（Ｖ）、電圧Ｖａ＝−９０（Ｖ）、電圧Ｖｅ１＝１６０（Ｖ）、電圧Ｖｅ２＝１６５（Ｖ）である。ただしこれらの電圧値は、単に一例を挙げたに過ぎず、パネルの特性やプラズマディスプレイ装置の仕様等に合わせて、適宜最適な値に設定することが望ましい。
【００３４】
図６は本発明の実施の形態におけるプラズマディスプレイ装置１００の駆動回路を搭載した回路基板の接続を示す図であり、走査電極駆動回路５３を搭載した回路基板と、電源回路７０を搭載した回路基板の一部の接続の様子を示している。回路基板３１０は走査電極駆動回路５３の維持パルス発生回路２１０、初期化波形発生回路２３０、スイッチング素子制御回路２７０と走査パルス発生回路２５０の一部を搭載した回路基板であり、回路基板３２０は走査電極駆動回路５３の走査パルス発生回路２５０の出力部分を搭載した回路基板である。そして回路基板３３０は電源回路７０を搭載した回路基板であり、図６には、駆動電源ブロック７３のうち、走査電極駆動回路５３のスイッチング素子制御回路２７０に供給するためのフローティング電源を含む各種の電圧を発生させる制御用電源７６と、走査電極に印加する駆動電圧波形の元となる駆動電源７７とを示している。回路基板３４０は、タイミング発生回路５５を実装した回路基板である。
【００３５】
また、回路基板３１０と回路基板３２０とはコネクタ３６０により電気的に接続され、回路基板３１０と回路基板３４０とはコネクタ３９０により電気的に接続されている。さらに、回路基板３１０の維持パルス発生回路２１０および初期化波形発生回路２３０にはコネクタ３７０を介して駆動電源７７から電力が供給され、スイッチング素子制御回路２７０にはコネクタ３８０を介して制御用電源７６から必要な電源が供給されている。
【００３６】
従って、コネクタ３８０には制御用電源７６からスイッチング素子制御回路２７０に電源を供給するための端子が設けられているが、本実施の形態においては、それらに加えて、駆動電源ブロック７３のオンオフを制御するオンオフ制御信号ＣＯＮＴを、回路基板３３０から回路基板３１０を経由して再び回路基板３３０に戻すための２つの端子が設けられている。すなわち、駆動電源ブロック７３は、オンオフ制御信号ＣＯＮＴによりオンオフが制御されるとともに、回路基板３１０を経由してオンオフ制御信号ＣＯＮＴが供給されるように構成されている。そして図６に示すように、オンオフ制御信号ＣＯＮＴは、回路基板３１０に設けられた複数の端子を有するコネクタ３８０の両端の端子を用いて回路基板３１０を経由して、駆動電源ブロック７３に供給されている。なお、図６において、４００はオンオフ制御信号ＣＯＮＴを供給するための配線である。
【００３７】
次に、オンオフ制御信号ＣＯＮＴを回路基板３１０を経由させる際に、コネクタ３８０を介した理由について以下に説明する。ここで、仮にコネクタ３６０の抜けが発生した場合について想定すると、走査電極ＳＣ１〜ＳＣｎのそれぞれに駆動電圧波形を出力するスイッチ部ＯＵＴ１〜ＯＵＴｎが搭載された回路基板３２０に電圧が供給されなくなる。そのため走査電極ＳＣ１〜ＳＣｎのそれぞれに駆動電圧波形が印加されず画像が表示されなくなる。しかしこれにより駆動回路そのものが破壊されることはない。また、コネクタ３７０の抜けが発生した場合について想定すると、回路基板３１０に駆動電源７７から電力が供給されなくなるので画像を表示することはできない。しかしこの場合にも駆動回路そのものが破壊される恐れはない。さらに、コネクタ３９０の抜けが発生した場合について想定すると、タイミング発生回路５５が搭載されている回路基板３４０からスイッチング素子制御回路２７０にタイミングパルスが供給されないので、走査電極駆動回路５３に用いられているスイッチング素子のそれぞれがオンまたはオフのままとなり、走査電極ＳＣ１〜ＳＣｎに正常な駆動電圧波形が印加されず画像が表示されなくなる。しかしこの場合にもタイミング信号をプルアップまたはプルダウンして、コネクタ３９０の抜けが発生した場合に、例えばすべてのスイッチング素子がオフとなるようにすれば駆動回路そのものが破壊されることはない。
【００３８】
ところが、コネクタ３８０の抜けが発生した場合には、スイッチング素子のゲート端子またはベース端子に印加される信号が不定となることがある。そして、駆動電圧波形を作るための駆動電源が印加されたまま、駆動電源と接地電位間に接続されたスイッチング素子、または駆動電源と他の駆動電源との間に接続されたスイッチング素子がオンした場合に、過大な電流が流れて駆動回路を破壊する恐れがある。
【００３９】
しかしながら本実施の形態においては、コネクタ３８０の抜けが発生した場合には、表示制御回路６０から出力されたオンオフ制御信号ＣＯＮＴも、同時に切断されるので、駆動電源ブロック７３がオフとなり、駆動電源が回路基板３１０に供給されなくなるので、駆動回路が破壊される恐れはない。
【００４０】
このように本実施の形態においては、コネクタの抜けが発生した場合に駆動回路が破壊される恐れのあるコネクタに対して、駆動電源ブロック７３のオンオフを制御するオンオフ制御信号ＣＯＮＴを、そのコネクタを経由して駆動電源ブロック７３に接続している。そのため、回路構成を煩雑にすることなく、万一コネクタの抜けが発生した場合であっても安全に動作を停止させることができる。
【００４１】
また、オンオフ制御信号ＣＯＮＴ用の端子として、コネクタに配列された端子の両端の端子を用いているため、コネクタの端子の片側だけ抜けた、いわゆる片抜けの状態であってもオンオフ制御信号ＣＯＮＴが切断されるため、確実に動作を停止させることができる。
【００４２】
なお、本実施の形態においては、所定の回路基板が走査電極駆動回路５３を搭載された回路基板３１０であり、回路基板３１０のコネクタ３８０に抜けが発生した場合に、安全に動作を停止させる例について説明したが、維持電極駆動回路５４、データ電極駆動回路５２等を搭載した回路基板のコネクタの抜けに対しても実施することができる。
【００４３】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００４４】
本発明は、回路構成を煩雑にすることなく、万一コネクタの抜けが発生した場合であっても安全にパネルの駆動を停止させることができるので、プラズマディスプレイ装置として有用である。
【図面の簡単な説明】
【００４５】
【図１】本発明の一実施の形態におけるプラズマディスプレイ装置のパネルの構造を示す分解斜視図
【図２】同パネルの電極配列図
【図３】本発明のプラズマディスプレイ装置の回路ブロック図
【図４】走査電極駆動回路の詳細を示す回路図
【図５】各電極に印加する駆動電圧波形図
【図６】駆動回路を搭載した回路基板の接続例を示す構成図
【符号の説明】
【００４６】
１０    パネル
５１    画像信号処理回路
５２    データ電極駆動回路
５３    走査電極駆動回路
５４    維持電極駆動回路
５５    タイミング発生回路
６０    表示制御回路
６１    電源スイッチ
６２    受光部
７０    電源回路
７２    スタンバイ電源
７３    駆動電源ブロック
７６    制御用電源
７７    駆動電源
８１    スイッチング電源
８２    パルス発生回路
１００    プラズマディスプレイ装置
２１０    維持パルス発生回路
２３０    初期化波形発生回路
２５０    走査パルス発生回路
２７０    スイッチング素子制御回路
３１０，３２０，３３０，３４０    回路基板
３６０，３７０，３８０，３９０    コネクタ
【図１】
2008096801.tif 000003
【図２】
2008096801.tif 000004
【図３】
2008096801.tif 000005
【図４】
2008096801.tif 000006
【図５】
2008096801.tif 000007
【図６】
2008096801.tif 000008